(57)【要約】【課題】  一人又は少数の者に独占されることなく多数の者に提供品を配布することができ、提供物品を配布する者を確保する必要が無く、消費者は提供物品を選択することができ、マーケティングも行うことができる提供物品の配布装置を提供する。【解決手段】  筐体と、提供物品を展示する展示部と、提供物品を保管する保管部と、保管部から提供物品を取り出す搬出装置と、搬出装置を制御する制御装置と、制御装置に指令を出す操作部とを備えていることを特徴とする。展示頒布装置は、抽選機能を有し、所定条件下において抽選を行い、抽選結果に応じて搬出装置の稼働の有無を決定しても良い。また、記録機能も有し、展示頒布装置内部の一部又は全部の機能の操作状況及び稼働状況も記録しても良い。また、展示頒布装置を操作する人数を制限する入場制限装置を備えていても良い。【選択図】  図１
2006039986.tif 000002
【特許請求の範囲】
【請求項１】
試供品等の提供物品を展示・配布する展示頒布装置であって、該展示頒布装置は、筐体と、該提供物品を展示する展示部と、該提供物品を保管する保管部と、該保管部から該提供物品を取り出す搬出装置と、該搬出装置を制御する制御装置と、該制御装置に指令を出す操作部とを備えていることを特徴とする展示頒布装置。
【請求項２】
前記展示部は、前記提供物品を展示する展示スペースを複数有し、前記保管部は、複数の該提供物品を収納可能な収納部が複数設けられていることを特徴とする請求項１に記載の展示頒布装置。
【請求項３】
前記操作装置は、モニターと操作ボタンとを備えていることを特徴とする請求項１又は２に記載の展示頒布装置。
【請求項４】
前記展示頒布装置は、モニターに表示する画面情報を管理する集中装置を備え、該集中装置は、抽選機能を有し、該抽選機能は、所定条件下において抽選を行い、該抽選結果に応じて前記搬出装置の稼働の有無を決定することを特徴とする請求項１〜３のいずれかに記載の展示頒布装置。
【請求項５】
前記集中装置は遊戯機能を有し、所定条件下において前記展示頒布装置の操作者に遊戯を行わせ、該遊戯結果に応じて前記搬出装置の稼働の有無を決定することを特徴とする請求項１〜４のいずれかに記載の展示頒布装置。
【請求項６】
前記制御装置は、記録機能を有し、該記録機能は、前記展示頒布装置内部の一部又は全部の機能の操作状況及び稼働状況を記録することを特徴とする請求項１〜５のいずれかに記載の展示頒布装置。
【請求項７】
前記展示頒布装置は、該展示頒布装置を操作する人数を制限する入場制限装置を備え、該入場制限装置は、入場板と退場板とを備え、該入場板及び該退場板は、操作者の入場及び退場を制限すると共に、操作装置と対峙する操作者のための空間を確保することを特徴とする請求項１〜６のいずれかに記載の展示頒布装置。
【発明の詳細な説明】
【技術分野】
【０００１】
本発明は、試供品等の提供物品を展示する展示頒布装置に関するものであり、単純に提供物品を配布するだけでなく、マーケティング等も行うことができる展示頒布装置に関する。
【背景技術】
【０００２】
販売促進や広告宣伝を目的として、試供品等の提供物品を無料で配布することがある。一般的な広告宣伝は、テレビ・ラジオ・書籍等の媒介を通して消費者の視覚、聴覚に訴え、感覚的なイメージで商品・製品を伝える。これに対して提供品は、実際の商品・製品と同じ内容物を配布し、消費者に実際に使用してもらい、商品・製品の性質や特徴を実感してもらうものである。
【０００３】
この提供物品は、商品・製品の性質や特徴を具体的且つ鮮明に消費者に伝えることができるという特徴を有するが、提供品を使用した者しか商品・製品の性質や特徴を実感することができないという特徴も有している。
【０００４】
この提供物品の配布方法は、駅前、人通りの多い街頭、デパート等の店内や店前で、人手によって配布するか、ラック等に試供品を陳列して自由に取ってもらう方法が一般的な配布方法である。
【発明の開示】
【発明が解決しようとする課題】
【０００５】
しかし、ラック等に試供品を陳列して自由に取ってもらう方法は、一人の者や少数の者が全てを持ち帰ってしまうことがある。その結果、多数の者に提供品が配布できず、提供品の広告宣伝効果が全く得られないという問題が生じていた。
【０００６】
また、人手によって配布する場合は、手渡しで配布している。通常は、一人の配布者が１つの提供品を配布している。そのため、配布者を確保しなければならず、人件費がかかってしまうという問題がある。また、一人の配布者では提供品を配布すると、多くの人に配ることができないため、複数人の配布者を確保しなければならず、更に人件費が必要となるという問題もある。
【０００７】
また、人気のある商品・製品の試供品や、多数の人間が集まるイベント会場等において提供物品を配布しようとすると、多数の者が一斉に集中してしまい、配布者や提供品を欲する者が怪我したり、ラック等が破損することがあり、配布する際に危険が及ぶ時があるという問題も有していた。
【０００８】
また、提供物品を配布する時は、基本的に１種類の物を配布しており、希に２，３種類の提供物品を配布していた。そのため、広範囲で、多数者に提供物品を配布することができず、効率的な広告宣伝ができないという問題もあった。
【０００９】
また、提供物品の配布は、企業が自社商品の広告宣伝のために行うので、競合他社の提供品と同時に配布することはなかった。従って、消費者は、複数種類の提供物品の中から比較検討し、商品・製品を購入する判断要素とすることができないという問題があった。
【００１０】
また、企業が市場調査を行う時は、商品・製品の人気度、売れ行き、競合他社との比較等を複合的に検討し、マーケティングを行っている。しかし、提供物品は、マーケティングの重要な要素とは捉えられておらず、商品・製品の紹介、広告宣伝としか扱われていないことが多い。
【００１１】
以上のことから、一人又は少数の者に独占されることなく多数の者に提供品を配布することができ、提供品の配布者を確保する必要が無く、提供品を配布する時に受け取る者に危険が及ぶことがなく、消費者が提供物品を選択することができ、マーケティングも行うことができる提供品の配布装置などの開発が望まれていた。
【課題を解決するための手段】
【００１２】
上記課題を解決するために本発明に係る展示頒布装置は、筐体と、提供物品を展示する展示部と、提供物品を保管する保管部と、保管部から提供物品を取り出す搬出装置と、搬出装置を制御する制御装置と、制御装置に指令を出す操作部とを備えていることを特徴とする。
【００１３】
また、展示部は、提供物品を展示する展示スペースを複数有し、保管部は、複数の提供物品を収納可能な収納部が複数設けられていることを特徴とする。
【００１４】
また、操作装置は、モニターと操作ボタンとを備えていても良い。
【００１５】
また、展示頒布装置は、モニター内の画面情報を管理する集中装置を備え、集中装置は、抽選機能を有し、抽選機能は、所定条件下において抽選を行い、抽選結果に応じて搬出装置の稼働の有無を決定しても良い。
【００１６】
また、集中装置は遊戯機能を有し、所定条件下において展示頒布装置の操作者に遊戯を行わせ、遊戯結果に応じて搬出装置の稼働の有無を決定しても良い。
【００１７】
また、制御装置は、記録機能を有し、記録機能は、展示頒布装置内部の一部又は全部の機能の操作状況及び稼働状況を記録することを特徴とする。
【００１８】
また、展示頒布装置は、展示頒布装置を操作する人数を制限する入場制限装置を備え、入場制限装置は、入場板と退場板とを備え、入場板及び退場板は、操作者の入場及び退場を制限すると共に、操作装置と対峙する操作者のための空間を確保することを特徴とする。
【発明の効果】
【００１９】
本発明に係る展示頒布装置は、提供物品を受け取る者が展示頒布装置を操作し、所定条件下において提供物品を受け取るため、一人又は少数の者に提供物品を独占されることなく、多数の者に配布することができる。また、多数の者に提供物品を配布することできるため、広告宣伝効果を得ることができる。また、人手を介して配布する必要が無いため、提供物品を配布する者を確保する必要が無く、人件費を無くすことができる。
【００２０】
また、本発明に係る展示頒布装置は、展示頒布装置内の各装置、各機能の動作状況を記録する記録機能を有しているため、各装置、各機能の動作状況から、提供物品の人気度等の情報を得ることができ、マーケティングの要素として活用することができる。
【００２１】
また、複数種の提供物品を展示、保管し、複数の提供物品を配布することができるため、消費者は複数の提供物品を比較検討して、商品、製品を購入する判断要素とすることができる。
【００２２】
また、本発明に係る展示頒布装置は、展示頒布装置を操作する人数を制限する入場制限装置を設けているので、人気商品や人間の多い場所においても、展示頒布装置を操作する人数を制限することができ、消費者に危険が及ばず安全に提供物品を配布することができる。
【００２３】
また、本発明に係る展示頒布装置は、抽選機能及び／又は遊戯機能を有し、所定条件下の抽選に当選した場合や遊戯結果によって提供物品を受け取ることができるため、提供物品の配布に遊戯性、趣向性を持たせることができる。更に、提供物品の受け取りを希望する者が多数過ぎても、抽選又は遊戯結果によって配布することができるため、不公平感を与えずに配布することができる。
【００２４】
また、本発明に係る展示頒布装置は、提供物品を提供者から消費者に提供するまでに、選択過程、応募過程、抽選過程、結果開封過程といった一連の動作及び行程を自動的且つ即座に行うことができ、提供者から消費者へ提供するまでの時間効率、作業効率等を向上することができる。
【発明を実施するための最良の形態】
【００２５】
本発明に係る展示頒布装置２について、図を参照にしながら説明する。図１は、本発明に係る展示頒布装置２を示した説明図であり、図２は、本発明に係る展示頒布装置の内部構造を簡略化して示した説明図である。なお、これらの図は説明の便宜上のためのものであり、本発明を何ら限定するものではない。
【００２６】
本発明に係る展示頒布装置２は、筐体４と、提供物品３６を展示する展示部６と、提供物品３６を保管する保管部１０と、保管部１０から提供物品３６を取り出す搬出装置１４と、搬出装置１４を制御する制御装置１６と、制御装置１６に指令を出す操作装置１８とを備えていることを特徴とする。
【００２７】
ここで、本発明に係る提供物品３６とは、企業や店舗が広告宣伝、商品紹介等を目的として消費者に無料又は正規価格よりも安価にて配布・提供する物品のことである。本文中で使われている提供物品３６は、基本的に試供品、販売促進品と呼ばれる無料で配布される物品が好ましいが、他にも一般的に販売されている商品・製品や、一般には販売されていない物品等でも良く、提供物品３６の定義については適宜設定すれば良い。また、本文中で使われている消費者とは、提供物品３６を受け取る者とする。また、展示頒布装置２の操作者は、展示頒布装置２を操作して提供物品３６を受け取る者とする。
【００２８】
展示部６は、提供物品３６を展示する部位であり、消費者が展示頒布装置２の外側から提供物品３６を視認できる構造が良い。展示部６の構造の一例としては、提供物品３６を展示できる個別の展示スペース８を設け、この展示スペース８内を視認できるように、展示スペース８の側面又は天井部にガラス・アクリル等を設けるのが良い。また、この展示部６は、図１に示されているように、複数の提供物品３６を展示できるように複数の展示スペース８を有しているのが良い。図中では、展示スペース８が９つ設けられているが、展示スペース８の設置数、形状、大きさ、設置位置などは、種々の条件を考慮して適宜設定すれば良い。また、展示部６には、消費者に配布する提供物品３６の実物を展示しても良いし、展示用見本４０を展示しても良く、適宜設定すれば良い。
【００２９】
また、保管部１０は、複数の提供物品３６を保管できる部位とする。この保管部１０は、展示頒布装置２内部に設けられているのが良いが、展示頒布装置２外側から保管状況及び提供物品３６の残存数を確認できるように設けられていても良い。また、展示部６と保管部１０が一体となっていも良く、保管部１０の構造は適宜設定すれば良い。また、保管部１０には複数の収納部１２が設けられており、各収納部１２は各展示スペース８と対応している。収納部１２の形状としては図３に示されたように、ベルトコンベアを設け、このベルトコンベアを収納部１２としても良い。このベルトコンベアに提供物品３６を積載し、ベルトコンベアを回転させれば、提供物品３６がベルトコンベア上を移動してベルトコンベア端部から落下する。落下した提供物品３６を展示頒布装置２の取り出し口３８に移送すれば、提供物品３６を配布することができる。この様に、保管部１０と搬出装置１４が一体又は連結した構造であっても良く、提供物品３６を破損することが無く長期間保管することができ、搬出装置１４によって提供物品３６が収納部１２から取り出し容易であれば、保管部１０及び収納部１２の形状・構造は、種々の条件を考慮して適宜設定すれば良い。
【００３０】
また、搬出装置１４は、保管部１０内に収納されている提供物品３６を展示頒布装置２外に搬出する装置を指す。搬出装置１４としては図３に示されたように、ベルトコンベア及びベルトコンベア端部に上下動可能なバケットを設けても良い。この搬出装置１４は、提供物品３６を搬出する時、選択された提供物品３６が展示されている展示スペース８と対応するベルトコンベアを回転させると共に、稼働中のベルトコンベアの端部近傍にバケットを移動させる。ベルトコンベア上を移動した提供物品３６は、ベルトコンベア端部から落下してバケットに移動する。バケットに乗った提供物品３６は、取り出し口３８まで搬出される。また、バケットを設けずに、ベルトコンベア端部から落下した提供物品３６が取り出し口３８まで誘導されるようにスロープ等を設けても良い。この他にも、保管部１０から提供物品３６を容易に取り出すことができ、搬出中に提供物品３６を破損することが無ければ、搬出装置１４は、保管部１０の形状・構造等を考慮して最適な構造・手段を適宜設定すれば良い。
【００３１】
また、制御装置１６は、搬出装置１４を制御する装置又は機能を指す。搬出装置１４が図３に示されたベルトコンベア及びバケットを用いたものであった場合、ベルトコンベア及びバケットの両方の動作を制御する。この制御装置１６は、展示頒布装置２内部の他の装置と独立して設けられていても良いが、搬出装置１４と一体に設けられても良いし、操作装置１８と一体に設けられても良い。また、制御装置１６が他の装置の機能の一部であっても良く、その形態については特に限定しない。
【００３２】
また、操作装置１８は、消費者が展示頒布装置２内部の提供物品３６を受け取るために操作するための装置又は機能を指し、この操作装置１８からの指令によって制御装置１６及び搬出装置１４が稼動する。図１中では、操作装置１８が展示頒布装置２から突出して設けられているが、展示頒布装置２側面と同一面上に設けられていても良い。また、この操作装置１８は、モニター２０と操作ボタン２２が備えられているのが良い。モニター２０及び操作ボタン２２の形状、構造、種類、設置数、設置位置等の条件については、特に限定せず、種々の条件を考慮して適宜設定すれば良い。例えば、図１に示されているように、モニター２０と操作ボタン２２が別々に設けられていても良いし、モニター２０内に操作ボタン２２が表示されるタッチパネル式でも良い。また、操作ボタン２２も図示されているような押しボタンのみに限らず、レバー、スティック、コントローラ等を設けても良い。
【００３３】
また、モニター２０に表示される画面情報を管理する集中装置２４を備えていても良い。画面情報とは、操作状況、操作誘導に関する情報、各装置の可動状況等に関する各種情報であり、モニター２０に表示されるものの全てを指す。集中装置２４は、操作装置１８の一部として設けられていても良いが、独立して設けられ英ても良い。また、制御装置１６の一部としても設けられていても良く、集中装置２４の形態については適宜設定すれば良い。
【００３４】
また、集中装置２４は、抽選機能を有していても良い。この抽選機能は、所定条件下において抽選を行い、抽選結果に応じて搬出装置１４の稼働の有無を決定する機能である。つまり、展示頒布装置２を操作した時に抽選を行い、抽選に当選した者のみ提供物品３６の受け取りが可能となる。この抽選機能を設けることにより、展示頒布装置２に遊戯性、趣向性を持たせることができる。また、用意した提供物品３６の数よりも、提供物品３６の受け取りを希望する者の数が多かった時に、不公平感を与えずに提供物品３６を配布することも可能となる。
【００３５】
また、集中装置２４は、遊戯機能を有していても良い。この遊戯機能は、所定条件下において展示頒布装置の操作者に遊戯を行わせ、遊戯結果に応じて搬出装置の稼働の有無を決定する機能である。遊戯機能を設けることにより、単純に提供物品３６を配布するよりも、趣向性、射幸性を持たせることができる。遊戯の内容としては、モニター２０内で何らかのゲームを行い所定条件をクリアーすると提供物品３６を配布したりしても良い。また、上記抽選機能と組み合わせ、モニター２０内でくじ引きやギャンブル性を有したゲームを行い、その結果に応じて提供物品３６を配布しても良く、遊戯の内容は適宜設定すれば良い。
【００３６】
また、展示頒布装置２又は展示頒布装置２内部のいずれかの装置は記録機能を有していても良い。この記録機能は、展示頒布装置２内部の一部又は全部の装置の操作状況、稼働状況等を記録することが可能なものである。この記録機能を設け、展示頒布装置２の稼働状況を記録することにより、展示されている提供物品３６が選択される頻度や人気度等の各種情報を収集することができ、商品化したときの商品の販売予測といったマーケティングに反映することができる。
【００３７】
また、展示頒布装置２は、展示頒布装置２を操作する人数を制限することが可能な入場制限装置２６を備えていても良い。入場制限装置２６は、展示頒布装置２を操作する者の入場及び退場を制限すると共に、操作装置と対峙する操作者のための操作スペース３４を確保することができれば更に良い。図１では、入場制限装置２６として、筐体４に入場板２８と退場板３０とを備えている。この入場板２８と退場板３０は、筐体４との基部近傍において折り曲げが可能で開閉する構造となっている。操作者が入場する時は、入場板２８が開いて、退場板３０が閉じた状態となっている。所定人数が入場した時又は所定時間が経過すると、入場板２８及び退場板３０が閉じて他の者の入場を防止する。展示頒布装置２の操作が終了すると、退場板３０が開く。入場制限装置２６は、入場板２８及び退場板３０に限らず、ロープ、扉、シャッター等を使用しても良い。また、展示頒布装置２を操作する者の入場及び退場を誘導、制限、管理することができ、入場制限装置２６の作動によって操作者に危害が及ばなければ、どのような構造・手段を用いても良い。
【００３８】
また、この入場制限装置２６には入場ボタン３２が設けられているのが良い。入場ボタン３２は、入場制限装置２６を制御するボタンであり、展示頒布装置２の操作者が入場する時に、入場ボタン３２を押して扉を開ける。図１に示されている様に入場板２８及び退場板３０を使用した場合は、入場ボタン３２を押した時に入場板２８が開く。この入場ボタン３２は、入場制限装置２６を制御する以外にも、入場ボタン３２が押された時に、入場板２８を開くと共に、操作装置１８又は集中装置２４を初期化する契機としても良い。この入場制限装置２６を制御する制御装置又は制御機能は、展示頒布装置２内の他の装置と独立して設けられても良いし、制御装置１６及び集中装置２４と一体又は連動して設けられていても良く、適宜設定すれば良い。
【００３９】
次に、本発明に係る操作装置１８の動作状況を説明する。図５は、本発明に係る操作装置１８及び集中装置２４の動作状況を示したフローチャートである。
【００４０】
最初に操作装置１８及び集中装置２４は、モニター２０及び操作ボタン２２を初期化し、モニター２０に初期画面を表示する。この初期画面は、展示頒布装置２の遊戯方法の説明、各ボタンを説明する説明、遊戯促進等の各種情報や映像である。これらの他にも、各提供物品３６を紹介する広告映像等を表示しても良い。
【００４１】
次に、操作者が欲する提供物品３６を展示している展示スペース８の番号を選択することを促す、選択促進画面をモニター２０に表示する。操作者が希望の番号のボタンを押した時、その番号の提供物品３６の在庫数を確認し、在庫数がある時は、選択決定の確認画面を表示する。在庫数がない時は、別の番号を選択することを促すよう、再度選択促進画面を表示する。
【００４２】
選択が決定した時、抽選機能によって抽選が行われる。この時の当選確率は、適宜設定できるものとする。抽選に当選した時は、当選を伝える抽選結果をモニター２０に表示すると共に、選択された番号の提供物品３６を搬出するために、制御装置１６に信号を送信する。搬出装置１４が提供物品３６を取り出し口３８まで搬出させると、モニター２０に操作者に退場を促す画面を表示し、入場制限装置２６の退場板３０を開く信号を送信する。抽選に落選した時は、落選を伝える抽選結果を表示し、操作者に退場を促す画面を表示し、入場制限装置２６の退場板３０を開く信号を送信する。
【００４３】
以上が操作装置１８及び集中装置２４の動作状況の一例についての説明であるが、上記した一連の動作状況を逸脱しない限り、種々の行程を有していても良い。例えば、モニター２０に表示される各種画面や映像等の内容、表示方法、表示時間といった条件、設定については、変更が可能であり、適宜設定することができる。
【００４４】
次に、本発明に係る展示頒布装置２を利用した提供物品３６の配布方法について説明する。図４は、本発明に係る展示頒布装置２の利用して提供物品３６を配布する一例を示したフローチャートである。
【００４５】
展示頒布装置２を操作する者は、最初に入場ボタン３２を押して入場板２８を開き、操作スペース３４へと入場する。次に、操作装置１８のモニター２０に表示されている操作説明画面に従って、操作者が欲する提供物品３６が展示している展示スペース８の番号を選択する。
【００４６】
選択が決定すると、展示頒布装置２内部で抽選が行われ、モニター２０に抽選結果が表示される。抽選に当選すると、展示頒布装置２の取り出し口３８に提供物品３６が搬出され、操作者は提供物品３６を受け取る。抽選に落選した時は、提供物品３６は搬出されない。抽選が行われた所定時間後に、退場板３０が開き、操作者は操作スペース３４から退場する。次の操作者は、入場ボタン３２を押して、入場板２８を開いて操作スペース３４に入場し、上記操作を行う。
【００４７】
以上が、本発明に係る展示頒布装置２についての説明であるが、本発明の目的を逸脱しない限り、種々の設定等は変更が可能である。例えば、展示頒布装置２に広告宣伝用モニターを設け、提供物品３６及び商品等の広告宣伝を行っても良い。また、提供物品３６の選択決定前にモニター２０内でアンケートを行い、アンケートに答えた後、提供物品３６の選択を行う行程を設けても良く、展示頒布装置２に設けられる装置、機能に応じて各種操作行程を設けても良い。
【図面の簡単な説明】
【００４８】
【図１】本発明に係る展示頒布装置を示した説明図である。
【図２】本発明の保管部及び搬出装置の一実施の形態を示した説明図である。
【図３】本発明の展示頒布装置の内部構造を示した説明図である。
【図４】本発明に係る展示頒布装置を操作した操作状況を示したフローチャート図である。
【図５】本発明に係る集中装置の操作状況示したフローチャート図である。
【符号の説明】
【００４９】
２  展示頒布装置
４  筐体
６  展示部
８  展示スペース
１０  保管部
１２  収納部
１４  搬出装置
１６  制御装置
１８  操作装置
２０  モニター
２２  操作ボタン
２４  集中装置
２６  入場制限装置
２８  入場板
３０  退場板
３２  入場ボタン
３４  操作スペース
３６  提供物品
３８  取り出し口
４０  展示用見本
【図１】
2006039986.tif 000003
【図２】
2006039986.tif 000004
【図３】
2006039986.tif 000005
【図４】
2006039986.tif 000006
【図５】
2006039986.tif 000007